(57)【特許請求の範囲】
【請求項１】
熱交換器と該熱交換器で熱交換された空気を室内に吹き出すファンとを本体に収容した室内ユニットを有する空気調和機であって、
前記熱交換器の上流側の前記本体に取り付けられたエアフィルターと、該エアフィルターに対向する吸引孔を有しエアフィルターに付着した塵埃を吸引するための摺動自在の吸引ノズルと、該吸引ノズルに連通する吸引装置を備え、前記吸引ノズルは、前記吸引孔の位置を切り換える吸引位置切り換え機構と、該吸引位置切り換え機構により前記吸引孔と連動する塵埃分離部材を有し、該塵埃分離部材は、前記吸引孔の近傍においてのみ前記エアフィルターに接触するようにしたことを特徴とする空気調和機。
【請求項２】
前記吸引ノズルは前記吸引孔が形成された駆動可能なベルトを有し、該ベルト上の前記吸引孔の近傍に前記塵埃分離部材を設けたことを特徴とする請求項１に記載の空気調和機。
【請求項３】
前記塵埃分離部材は前記吸引孔の片側に設けられ、前記吸引ノズルの往復動作によって吸引清掃を行なうことを特徴とする請求項２に記載の空気調和機。
【請求項４】
前記吸引孔は前記塵埃分離部材の両側に設けられていることを特徴とする請求項２に記載の空気調和機。
【請求項５】
前記塵埃分離部材は前記吸引孔を囲むように設けられていることを特徴とする請求項２に記載の空気調和機。
【発明の詳細な説明】
【技術分野】
【０００１】
本発明は、室内ユニットの空気吸込口に設けられたエアフィルターを自動的に清掃する機能を備えた空気調和機に関するものである。
【背景技術】
【０００２】
従来の空気調和機のフィルター装置は、室内ユニットの本体内部への塵埃の侵入を防止するためのエアフィルターが熱交換器の前面に設けられており、このエアフィルターは付着した塵埃を手で清掃できるように着脱自在に構成されている。こうした構成のフィルター装置は頻繁なメンテナンスが必要となるだけでなく、メンテナンスが行われるまでの間にはエアフィルターが徐々に目詰まりしていき、その結果、熱交換器を通過する風量が低下して空調能力が低下し、消費電力の増大につながることとなる。
【０００３】
このため、エアフィルターのメンテナンスの手間を低減する目的で、エアフィルターに付着した塵埃をブラシにより掻き落として清掃するフィルター装置や、エアフィルターに付着した塵埃を吸引して清掃するフィルター装置が提案されている（例えば、特許文献１あるいは２参照。）。
【特許文献１】特開平６−７４５２１号公報
【特許文献２】特開２００２−３４０３９５号公報
【発明の開示】
【発明が解決しようとする課題】
【０００４】
しかしながら、特許文献１に記載のフィルター装置の場合、ブラシで掻き落として清掃するとブラシに塵埃が絡みついたり、掻き落として集めた塵埃を処理する必要があり、メンテナンスの手間が大幅に軽減されるものではなかった。
【０００５】
一方、特許文献２に記載のフィルター装置においても、吸引力だけでは充分な清掃性能が得られないという課題があった。
【０００６】
本発明は、従来技術の有するこのような問題点に鑑みてなされたものであり、高性能のエアフィルター清掃能力を有し、メンテナンスの手間も大幅に低減できる空気調和機を提供することを目的としている。
【課題を解決するための手段】
【０００７】
上記目的を達成するため、本発明は、熱交換器と該熱交換器で熱交換された空気を室内に吹き出すファンとを本体に収容した室内ユニットを有する空気調和機であって、熱交換器の上流側の本体に取り付けられたエアフィルターと、該エアフィルターに対向する吸引孔を有しエアフィルターに付着した塵埃を吸引するための摺動自在の吸引ノズルと、該吸引ノズルに連通する吸引装置を備え、吸引ノズルは、吸引孔の位置を切り換える吸引位置切り換え機構と、該吸引位置切り換え機構により吸引孔と連動する塵埃分離部材を有し、該塵埃分離部材は、吸引孔の近傍においてのみエアフィルターに接触するようにした。
【０００８】
また、吸引ノズルは吸引孔が形成された駆動可能なベルトを有し、該ベルト上の吸引孔の近傍に塵埃分離部材を設けている。この場合、塵埃分離部材を吸引孔の片側に設け、吸引ノズルの往復動作によって吸引清掃を行なうのが好ましい。
【０００９】
さらに、吸引孔を塵埃分離部材の両側に設けてもよく、塵埃分離部材を吸引孔を囲むように設けることもできる。
【発明の効果】
【００１０】
本発明は、以上説明したように構成されているので、以下に記載されるような効果を奏する。
吸引ノズルは吸引孔の位置を切り換える吸引位置切り換え機構と、吸引位置切り換え機構により吸引孔と連動する塵埃分離部材を有し、吸引孔の近傍においてのみ塵埃分離部材をエアフィルターに接触させるようにしたので、エアフィルターが垂直となっている部分においても、塵埃分離部材がエアフィルター上の塵埃を引き剥がした瞬間に塵埃は落下することなく吸引孔に吸い込まれ、塵埃分離部材と吸引を併用した高い清掃性能を発揮することができる。
【００１１】
また、吸引ノズルは吸引孔が形成された駆動可能なベルトを有し、該ベルト上の吸引孔の近傍に塵埃分離部材を設けたので、吸引孔と塵埃分離部材を連動させることにより、吸引孔と塵埃分離部材の位置関係を常に維持することができる。
【００１２】
さらに、塵埃分離部材を吸引孔の片側に設け、吸引ノズルの往復動作によって吸引清掃を行なうことで、清掃性能を向上させることができる。
【００１３】
また、吸引孔を塵埃分離部材の両側に設けると、様々な塵埃に対応した清掃性能を得ることができるとともに、塵埃分離部材の前方で発生する塵埃の落下と、塵埃分離部材の後方で発生する塵埃の落下の双方を防止できる。
【００１４】
また、塵埃分離部材を吸引孔を囲むように設けると、塵埃分離部材が風の拡散を防止し、エアフィルター表面での吸引力を強めることができる。
【発明を実施するための最良の形態】
【００１５】
以下、本発明の実施の形態について、図面を参照しながら説明する。
図１は本発明にかかる空気調和機の室内ユニットを示しており、室内ユニット本体２の内部には、熱交換器４と、熱交換器４を通して室内空気を取り入れ、熱交換器４で熱交換された空気を室内に吹き出すためのファン６と、熱交換器４の上流側に配設されたフィルター装置８とが収容されており、本体２の前面から上面に渡り形成された複数の吸込口からファン６の動作により空気が吸い込まれ、空気中に漂う塵埃は、吸込口と熱交換器４との間に設けられたフィルター装置８により取り除かれる。
【００１６】
実施の形態１．
図２は、本発明の実施の形態１における空気調和機のフィルター装置８の全体構成図である。図２に示すように、熱交換器４を通過する空気の塵埃を除去するエアフィルターは、フィルター枠１０と、フィルター枠１０に保持されたフィルター網１２から構成され、エアフィルターの表面に沿って摺動自在の吸引ノズル１４が取り付けられている。吸引ノズル１４はフィルター枠１０の上下端に設置された一対のガイドレール１６により、エアフィルターと一定の距離を保って円滑に左右に移動することができる。吸引ノズル１４には吸引ダクト１８の一端が連結され、吸引ダクト１８の他端は吸引装置２０に連結される。吸引ダクト１８は吸引ノズル１４の移動に差し支えないように折り曲げ可能なダクトで形成される。さらに、吸引装置２０には排気ダクト２２が連結され、室外へ引き回される。エアフィルター上に付着した塵埃は吸引ノズル１４により吸引され、吸引ダクト１８、吸引装置２０、排気ダクト２２を経由して室外へ排出される。
【００１７】
上述したフィルター装置を一般家庭用の小型空気調和機に内蔵する場合、吸引装置２０の小型化・小出力化を図る必要があるため、小風量で強い吸引力を発揮できるようにする必要がある。ここでは、吸引ノズル１４は吸引を一部分に絞って吸引力を強め、吸引ノズル１４の吸引位置を切り換えることで、フィルター全面を清掃するように設定されている。
【００１８】
以下、吸引位置切り替え機構について説明する。
図３Ａ及び図３Ｂに示すように、吸引ノズル本体２４にはエアフィルター全長に相当する長いスリット状の開口部２６が形成されており、この開口部２６に沿って駆動可能なベルト２８に吸引孔３０を設けることで開口部２６の一部分のみから吸引できるとともに、ベルト２８を駆動することで吸引する場所を変更できるように設定している。また、ベルト２８は、吸引ノズル本体２４に沿って摺動させる必要があるため、溶着や接着等により吸引ノズル本体２４と一体的に形成されたベルトガイド３２によってガイドされるとともに吸引孔以外の部分で吸引漏れが発生するのを抑制している。こうした構成により、小さい風量でも小さな吸引孔に絞られるので吸引孔の風速は増大し、小型の吸引装置でも強い吸引力を発揮することが可能となる。
【００１９】
エアフィルター全面の清掃には図４に示すように、吸引ノズル１４のベルト２８を上下に摺動させて吸引孔３０の位置を変え、吸引ノズル１４をフィルター網１２に沿って左右に摺動することで吸引孔３０を図中の矢印に示すようなスイープ動作させて全面を清掃することができる。図４においては、吸引孔３０はエアフィルター全長の１／４の長さに設定されており、図中矢印に示すような２往復のスイープ動作にてエアフィルター全面を清掃する。
【００２０】
ほとんどの一般家庭では、エアフィルターに付着する塵埃が通常乾燥しているので、上述した構成のフィルター装置で充分な清掃が可能である。しかしながら、吸引する風の力だけによってエアフィルターに付着した塵埃を引き剥がし、それを吸い取ることでエアフィルターの清掃を行うので、清掃性能が充分得られない場合がある。すなわち、室内ユニットがＬＤＫ等に取り付けられている場合、設置条件によってはエアフィルターに付着した塵埃に油分が多く含まれ、油分の粘着や硬化によりエアフィルターに塵埃が強固に付着して吸引だけでは清掃除去できない場合がある。また、喫煙者の多い部屋に設置された室内ユニットのエアフィルターにおいても煙草のヤニによる粘着や硬化により、同様に吸引だけでは清掃除去が困難な場合がある。これを解決するためには、ブラシを装着して塵埃をエアフィルターから引き剥がすための補助的手段として用いるのが効果的である（塵埃はエアフィルターから引き剥がしさえすれば、さほど大きな吸引力でなくても吸引することができる）。ブラシを用いると塵埃が絡み付くことが懸念されるが、ブラシと吸引を併用することで、ブラシに絡みついた塵埃がある程度の量に達したところで吸引されてしまうので、ブラシのメンテナンスは最小限にすることができる。
【００２１】
図５は、ブラシを装着した吸引ノズルの一例を示しており、ブラシは吸引ノズル本体の略全長にわたって取り付けられている。しかしながら、この方法では、吸引している部分以外の箇所にもブラシがあるため、ブラシによって塵埃が掻き落とされて落下するおそれがある。すなわち、一般家庭用空気調和機のエアフィルターには垂直な部分が存在するので、吸引していない部分の塵埃をもブラシが引き剥がすような吸引ノズルの構成では、塵埃の落下により室内ユニット本体を汚すことがある。
【００２２】
そこで、本発明の実施の形態１における吸引ノズルは、エアフィルターの垂直部分でも塵埃を落下させずに清掃できるようにしており、その詳細について以下説明する。図６Ａ及び図６Ｂは本発明の第１の実施の形態における空気調和機のフィルター装置の吸引ノズルを示している。
【００２３】
図６Ａ及び図６Ｂに示すように、吸引ノズル本体２４にはエアフィルター全長に相当する長いスリット状の開口部２６を設け、さらに、この開口部２６に沿って駆動可能なベルト２８に吸引孔３０を設けることで開口部２６の一部分のみから吸引するとともに、ベルト２８を駆動して吸引する場所を変更する構成である。また、ベルト２８は吸引ノズル本体２４に沿わせるため、溶着や接着等により吸引ノズル本体２４と一体的に形成されたベルトガイド３２によりベルト２８のガイドを行なうとともに、吸引孔３０以外の部分で吸引漏れが発生するのを抑制している。さらに、ベルト２８の表面には、フィルター網１２に付着した塵埃をフィルター網１２から分離させる塵埃分離部材としてのブラシ３４が吸引孔３０の横に固着されており、ベルト２８の駆動により吸引孔３０とともにブラシ３４の位置も変更することができる。
【００２４】
この構成であれば、吸引位置とブラシ位置の変更に必要な駆動装置はベルト２８の駆動装置だけで済むので構成が簡単であり、低コストで実現することができるとともに、吸引孔３０とブラシ３４の位置関係を常に維持することができる。また、本実施の形態においては、ブラシ３４は吸引ノズル１４の清掃進行方向に対して吸引孔の後方に取りつけられているが、これは一般家庭に設置された空気調和機のエアフィルターを対象としているためで、飲食店等に設置された空気調和機のエアフィルターのように油分などがこびりついた塵埃が多量にある場合は、吸引孔に対して前方に取りつけた方が良い場合もある。この理由については後述する。
【００２５】
ブラシ３４の長さは吸引孔３０の長さと同じで良いが、ブラシ３４の上下端近傍の塵埃を確実に吸引するためには吸引孔３０よりブラシ３４を短くしても良いし、吸引力を重視する場合にはブラシ３４より吸引孔３０を短くしても良い。吸引孔３０の長さとブラシ３４の長さは、吸引力の強さや除去する塵埃の量などを勘案して設計することとなる。また、ブラシ３４としては一般的には起毛布のような毛ブラシを用いる場合が多いが、エアフィルター上の塵埃を引き剥がす効果を持つものであれば毛ブラシに限定されない。
【００２６】
上記構成のフィルター装置の動作、作用を以下説明する。
図７Ａ及び図７Ｂは本発明の実施の形態１における吸引清掃時の吸引ノズル１４の断面模式図で、エアフィルターを吸引清掃している最中の吸引ノズル１４とエアフィルターの状態を示している。図中の実線矢印は吸引の風を示しており、また、エアフィルター上の丸印はエアフィルター上に付着した塵埃（エアフィルターにより除去された塵埃）を示しており、白丸は乾いた塵埃など吸引されやすい塵埃を、黒丸は油分を若干含むなどして吸引されにくい塵埃を意味している。白抜き矢印は吸引ノズル１４の清掃進行方向を示している。ブラシ３４は吸引ノズル１４の清掃進行方向に対して吸引孔の後方に取りつけられている。図７Ａは図６Ａにおける吸引孔のある部分、すなわちＢ−Ｂ断面の状態を示したものである。吸引孔３０がブラシ３４に先行しているので、乾いた塵埃などは吸引力でエアフィルター上から引き剥がされ、吸引除去される。油分などにて吸引力だけでは除去できない塵埃も、吸引孔３０の通過後にくるブラシ３４によってエアフィルター上から引き剥がされる。ブラシ３４の端面には、ブラシ３４によって強制的に引き剥がされた塵埃が溜まってくるが、間近に吸引孔３０があるので、ある程度溜まった時点で吸引除去される。したがって、この部分がエアフィルター垂直部であったとしても塵埃が落下することはない。一方、図７Ｂは図６Ａにおける吸引孔３０の無い部分、すなわちＣ−Ｃ断面の状態を示したものである。吸引孔３０が無いので吸引力は存在しないが、同時にブラシ３４も存在しない。したがって、エアフィルター上の塵埃に接触するものはないので、この部分がエアフィルター垂直部であったとしても塵埃が落下することはない。
【００２７】
ところで、ここまで説明した清掃原理より、ブラシ３４が吸引ノズル１４の清掃進行方向に対して吸引孔３０の後方に取りつけられている構成では、逆向きの清掃動作はブラシ３４で引き剥がした塵埃を吸引しない（ブラシ３４を隔てて反対側に吸引孔３０が存在することになるので）ので出来ない。したがって、エアフィルター全面をスイープ動作により清掃するのは図４で示したようなスイープ動作ではなく、図８に示したような往復動作による清掃方法で行なうことにしている。
【００２８】
図８において、吸引ノズル１４のベルト２８を駆動して吸引孔３０とブラシ３４の位置を変え、吸引ノズル１４をエアフィルターに沿って左右に駆動するという点では同じであるが、図中の矢印に示すような往復動作を繰り返すスイープ動作でエアフィルター全面を清掃する。図８の清掃方法であれば、エアフィルターの塵埃は往動作時に除去され、きれいになった部分を復動作時に戻るだけなので塵埃落下の問題はない。むしろ、往動作時に清掃し残した塵埃を復動作時に再度清掃することによる清掃性能向上や、ブラシ３４に絡みついた塵埃が復動作時にブラシ３４から剥がされ、それを吸引していくことになるので、ブラシ３４への塵埃の絡み付きを抑制することも可能となり、その結果清掃性能が向上する。
【００２９】
以上のように、本実施の形態においては、吸引孔３０を設けた駆動可能なベルト２８により吸引位置を切り換え、ベルト２８上の吸引孔３０の横にブラシ３４を設けて吸引孔３０とブラシ３４の動きを連動させることにより、吸引している位置近傍のみブラシ３４がエアフィルターに接触して、ブラシ３４によって引き剥がされた塵埃はすぐ吸引される。従って、エアフィルターが垂直となっている部分においても塵埃が落下することを防止することができ、ブラシ３４と吸引を併用した高い清掃性能を発揮することができる。
【００３０】
ところで、飲食店等に用いている空気調和機のエアフィルターなどは、多量の油分を含んでエアフィルターにこびりついたような非常に吸引されにくい塵埃がほとんどの場合もある。この時の清掃は、ブラシ３４が吸引孔３０の前方に設けた方が良く、この点につき以下説明する。
【００３１】
図９Ａ及び図９Ｂは非常に吸引されにくい塵埃を清掃する際の吸引ノズル１４の断面模式図であるが、図７Ａ及び図７Ｂで説明した吸引孔３０の後方にブラシ３４を設けたタイプの吸引ノズル１４で清掃を行うと、図９Ａに示したように塵埃はブラシ３４内部に入り込んでエアフィルター表面でこすられることで毛玉状に集められ、その毛玉がブラシ３４の反対側に出てくる挙動を示す。図中、黒三角は多量の油分を含むなどして非常に吸引されにくい塵埃を示す。この出てきた毛玉は、ブラシ３４によってこすられたことでエアフィルターから剥がれやすくなっており、また、毛玉になったことで表面積が大きくなり吸引されやすい状態にもなっているが、吸引孔３０はブラシ３４の前にあるので往動作時は吸引されず、復動作時に吸引されることとなる。この場合、往動作時である程度大きくなった毛玉が、復動作時でさらに大きい毛玉に成長することになるので吸引孔３０が吸引された毛玉で詰まるなどのリスクがある。従って、このような場合は、図９Ｂに示すようにブラシ３４は吸引ノズル１４の清掃進行方向に対して吸引孔３０の前方に取りつけ、往動作時に吸引してしまう方が毛玉の成長が抑制できて良い。
【００３２】
実施の形態２．
図１０Ａ及び図１０Ｂは本発明の実施の形態２における空気調和機のフィルター装置の吸引ノズルの構造を示している。なお、フィルター装置の全体構成は本発明の実施の形態１と同じである。
【００３３】
図１０Ａ及び図１０Ｂにおいて、吸引ノズル本体２４Ａにはエアフィルター全長に相当する長いスリット状の開口部２６を設け、さらに、この開口部２６に沿って駆動可能なベルト２８Ａに吸引孔３０を設けることで開口部２６の一部分のみから吸引でき、かつ、ベルト２８Ａを駆動することで吸引する場所を変更している。また、ベルト２８Ａは吸引ノズル本体２４Ａに沿わせるため、溶着や接着等により吸引ノズル本体２４Ａと一体的に形成されたベルトガイド３２Ａによりガイドされて吸引孔３０以外の部分で吸引漏れが発生するのを抑制している。開口部２６と吸引孔３０はそれぞれ２つが平行に設けられており、２箇所で吸引が行なわれるようになっている。ベルト２８Ａの表面には、２つの吸引孔３０の間にブラシ３４が固着され、ベルト２８Ａの駆動により吸引孔３０とともにブラシ３４の位置を変更することで、吸引位置切り換え機構に連動したブラシ３４の駆動を実現している。
【００３４】
上記構成のフィルター装置の動作、作用を以下説明する。
実施の形態１において説明した通り、ブラシ３４を清掃時の補助的手段として用いた場合、「吸引されやすい塵埃」、「吸引されにくい塵埃」、「非常に吸引されにくい塵埃」はそれぞれブラシ３４に対する挙動が異なり、ブラシ３４を吸引孔３０の前後のどちらに設けるか使い分ける必要がある。しかしながら、空気調和機の設置環境はさまざまであり、実際には使い分けることは困難であるので、いずれの塵埃にも対処できるようにノズルを構成する必要がある。
【００３５】
図１１Ａ及び図１１Ｂは本実施の形態においてエアフィルターを清掃している最中の吸引ノズルとエアフィルターの状態を断面にて見たものである。図中の矢印、丸印等は上述したものと同じものを示しており、種々の塵埃が混合した状態で存在している。図１１Ａは図１０Ａにおける吸引孔３０の有る部分、すなわちＤ−Ｄ断面の状態を示したものである。乾いた塵埃などはブラシ３４の前方にある吸引孔３０が吸引し、吸引力でエアフィルター上から引き剥がして吸引除去する。若干の油分などで吸引されにくい塵埃は、吸引孔３０の通過後にくるブラシ３４によってエアフィルター上から引き剥がされ、同じくブラシ３４の前方にある吸引孔３０が吸引除去する。多量の油分を含んで非常に吸引されにくい塵埃は、ブラシ３４の内部に入り込んでエアフィルター表面でこすられることで毛玉状に集められ、その毛玉がブラシ３４の反対側に出てきたところをブラシ３４後方にある吸引孔３０が吸引除去する。このように、様々な塵埃の吸引清掃に対応することができる。
【００３６】
一方、図１１Ｂは図１０Ａにおける吸引孔の無い部分、すなわちＥ−Ｅ断面の状態を示しており、吸引孔３０が無いので吸引力は存在しないが、同時にブラシ３４も存在しないので、エアフィルター上の塵埃には何ら影響を及ぼさず、この部分がエアフィルター垂直部であっても塵埃の落下は起きない。
【００３７】
また、ブラシ３４の両側に吸引孔３０を設けたことにより、ブラシ３４の前方で発生する塵埃の落下と、ブラシ３４の後方で発生する塵埃の落下の双方を防止できるという点で更に好ましい構成といえる。なお、本実施の形態においては、エアフィルター全面を清掃するには、図４で示したようなスイープ清掃動作でも、図８で示したようなスイープ清掃動作のどちらにも対応できる。エアフィルター全面を清掃する時間を短くしたい場合には前者、より丁寧に清掃したい場合には後者のスイープ清掃動作を選択すれば良い。
【００３８】
以上のように、本実施の形態においては、吸引ノズルはブラシ３４に対して両側に吸引孔３０を設けたことにより、エアフィルター垂直部での塵埃の落下を防止しながらも、様々な塵埃に対応した充分な清掃性能を得ることができる。
【００３９】
実施の形態３．
図１２Ａ及び図１２Ｂは本発明の実施の形態３における空気調和機のフィルター装置の吸引ノズルの構成を示している。なお、フィルター装置の全体構成は本発明の実施の形態１と同じである。
【００４０】
図１２Ａ及び図１２Ｂにおいて、吸引ノズル本体２４Ｂにはエアフィルター全長に相当する長いスリット状の開口部２６を設け、さらに、この開口部２６に沿って駆動可能なベルト２８Ｂに吸引孔３０を設けることで開口部２６の一部分のみから吸引でき、かつ、ベルト２８Ｂを駆動して吸引する場所を変更している。また、ベルト２８Ｂは吸引ノズル本体２４Ｂに沿わせるため、吸引ノズル本体２４Ｂと一体的に形成されたベルトガイド３２Ｂによってガイドされ、吸引孔３０以外の部分で吸引漏れが発生するのを抑制している。さらに、ベルト２８Ｂの表面には、吸引孔３０を囲むようにブラシ３４Ｂが固着されており、ベルト２８Ｂの駆動により吸引孔３０とともにブラシ３４Ｂの位置を変更することで、吸引位置切り換え機構に連動したブラシ３４Ｂの駆動を実現している。
【００４１】
上記構成のフィルター装置の動作、作用を以下説明する。
図１３Ａは吸引のみでエアフィルターを清掃している最中の吸引ノズルとエアフィルターの状態を断面にて見たものである。図中の実線矢印は吸引の風を示しており、白抜き矢印は吸引ノズルの清掃進行方向を示している。図中の寸法ｄは、吸引ノズルの吸引孔３０の前端とエアフィルターの間の距離を示している。吸引孔３０からの風は、吸引孔３０から遠ざかるにつれ拡散するため急速に風速が低下する。吸引による清掃性能はエアフィルター表面での吸引風速に依存するため、なるべく吸引孔３０とエアフィルターの距離は近づけておく必要がある。理想的にはｄは０．５ｍｍ程度であるのが好ましい。しかしながら、エアフィルターは完全に平坦ではなく、加工時のフィルター枠１０やフィルター網１２の成形収縮などによってたわんだ部分が多く存在する。エアフィルターが吸引孔側にたわんでいると吸引ノズル前端が塵埃に接触することがあり、吸引孔３０の位置以外の部分でそうなった場合、塵埃のかき寄せや落下といった問題が発生する。そのため、ｄはエアフィルターのたわみの最大値を勘案して、最大にたわんでも吸引ノズル前端とエアフィルターが接触しないように設計する必要がある。エアフィルターは実際には最大で１ｍｍのたわみがあるので、ｄは吸引ノズルの幅方向の中心で１．５ｍｍに設計されている。こうした場合、エアフィルター表面では吸引の風がかなり拡散してしまい、吸引力はかなり低減することとなる。更に、たわみは吸引孔３０とは反対側にたわんでいる場合もあるので、そこではｄは最大２．５ｍｍ離れることになり、一層吸引力は弱まることになるが、この状態においても充分な清掃性能を確保する必要がある。吸引装置の出力を上げれば良いが、装置の大型化や、騒音の増大を招く。また、吸引孔３０をより小さくすれば吸引風速は上がるが、エアフィルター全面を清掃するのに長い時間を要することとなる。
【００４２】
本実施の形態においては、吸引孔３０をブラシ３４Ｂで囲み、そのブラシ３４Ｂをｄが最大２．５ｍｍ離れた状態でもエアフィルターに接触するように高さ２．５ｍｍ以上となるように設計している。このようにすれば、図１３Ｂに示すようにブラシ３４Ｂが壁となって吸引孔３０からの風の拡散を抑制し、エアフィルター表面でも強い吸引力を維持することができる。さらに、ブラシ３４Ｂによる清掃の補助も得られるので、油分を多量に含んで非常に吸引されにくい塵埃の付着したエアフィルターを清掃する場合に適している。特に図１２Ａに示すように、吸引孔３０を囲むようにブラシ３４Ｂを形成すれば、より吸引の風の拡散を防止し、エアフィルター面の風速を上げることができる。
【００４３】
なお、実施の形態１〜３においてはベルトによる吸引位置切り換え機構を用いているが、異なる吸引位置切り換え機構を用いて、吸引している位置近傍のみブラシがエアフィルターに接触するようにしても同様の効果が得られる。
【００４４】
また、吸引により清掃を行なうものであれば、上述したブラシを利用することができ、吸引位置切り換え機構を有する吸引ノズルに限定されるものではない。
【００４５】
また、ブラシはエアフィルター上の塵埃を引き剥がす効果を持つものであれば良く、いわゆる毛ブラシに限定されない。
【産業上の利用可能性】
【００４６】
以上のように、本発明にかかる空気調和機のフィルター装置は、エアフィルター垂直部分でも塵埃の落下を防止しながらも吸引とブラシを併用した強力なエアフィルターの清掃ができるため、様々な形状のエアフィルターに利用でき、空気調和機のエアフィルターだけでなく冷却ファンを有する機器などのエアフィルター（例えば安定化電源のエアフィルター等）を自動清掃するフィルター装置などにも適用できる。
【図面の簡単な説明】
【００４７】
【図１】図１は本発明にかかる空気調和機の室内ユニットの断面図である。
【図２】図２は本発明の実施の形態１における空気調和機のフィルター装置の全体構成を示す斜視図である。
【図３Ａ】図３Ａは吸引位置切り換え機構を備えた吸引ノズルの斜視図である。
【図３Ｂ】図３Ｂは図３Ａにおける線Ａ−Ａに沿った断面図である。
【図４】図４は図３Ａの吸引ノズルによる清掃動作を示す正面図である。
【図５】図５は本体の略全長にわたって取り付けられたブラシを有する吸引ノズルによる清掃動作を示す正面図である。
【図６Ａ】図６Ａは本発明の実施の形態１における吸引ノズルの斜視図である。
【図６Ｂ】図６Ｂは図６Ａにおける線Ｂ−Ｂに沿った断面図である。
【図７Ａ】図７Ａは図６Ａにおける線Ｂ−Ｂに沿った断面図であり、特に清掃時の状態を示している。
【図７Ｂ】図７Ｂは図６Ａにおける線Ｃ−Ｃに沿った断面図であり、特に清掃時の状態を示している。
【図８】図８は図６Ａの吸引ノズルの清掃動作を示す正面図である。
【図９Ａ】図９Ａは図６Ａにおける線Ｂ−Ｂに沿った断面図であり、非常に吸引されにくい塵埃の清掃時の状態を示している。
【図９Ｂ】図９Ｂは図９Ａにおいてブラシと吸引孔の位置を逆にした場合の断面図である。
【図１０Ａ】図１０Ａは本発明の実施の形態２における吸引ノズルの斜視図である。
【図１０Ｂ】図１０Ｂは図１０Ａにおける線Ｄ−Ｄに沿った断面図である。
【図１１Ａ】図１１Ａは図１０Ａにおける線Ｄ−Ｄに沿った断面図であり、特に清掃時の状態を示している。
【図１１Ｂ】図１１Ｂは図１０Ａにおける線Ｅ−Ｅに沿った断面図であり、特に清掃時の状態を示している。
【図１２Ａ】図１２Ａは本発明の実施の形態３における吸引ノズルの斜視図である。
【図１２Ｂ】図１２Ｂは図１２Ａにおける線Ｆ−Ｆに沿った断面図である。
【図１３Ａ】図１３Ａはブラシがない場合の図１２Ａにおける線Ｆ−Ｆに沿った断面図である。
【図１３Ｂ】図１３Ｂは図１２Ａにおける線Ｆ−Ｆに沿った断面図であり、特に清掃時の状態を示している。
【符号の説明】
【００４８】
２  室内ユニット本体
４  熱交換器
６  ファン
８  フィルター装置
１０  フィルター枠
１２  フィルター網
１４  吸引ノズル
１６  ガイドレール
１８  吸引ダクト
２０  吸引装置
２２  排気ダクト
２４，２４Ａ，２４Ｂ  吸引ノズル本体
２６  開口部
２８，２８Ａ，２８Ｂ  ベルト
３０  吸引孔
３２，３２Ａ，３２Ｂ  ベルトガイド
３４，３４Ｂ  ブラシ
【図１】
0003955615.tif 000002
【図２】
0003955615.tif 000003
【図３Ａ】
0003955615.tif 000004
【図３Ｂ】
0003955615.tif 000005
【図４】
0003955615.tif 000006
【図５】
0003955615.tif 000007
【図６Ａ】
0003955615.tif 000008
【図６Ｂ】
0003955615.tif 000009
【図７Ａ】
0003955615.tif 000010
【図７Ｂ】
0003955615.tif 000011
【図８】
0003955615.tif 000012
【図９Ａ】
0003955615.tif 000013
【図９Ｂ】
0003955615.tif 000014
【図１０Ａ】
0003955615.tif 000015
【図１０Ｂ】
0003955615.tif 000016
【図１１Ａ】
0003955615.tif 000017
【図１１Ｂ】
0003955615.tif 000018
【図１２Ａ】
0003955615.tif 000019
【図１２Ｂ】
0003955615.tif 000020
【図１３Ａ】
0003955615.tif 000021
【図１３Ｂ】
0003955615.tif 000022